(57)【要約】【課題】医用撮影に係る操作者の準備の負担を軽減すること。【解決手段】医用画像診断システムは、記憶部と選択部とを有する。記憶部は、複数のスキャンパラメータセットを記憶する。選択部は、被検体又は被検体をスキャンするスキャン部の移動に伴い取得された、被検体とスキャン部との位置関係に相関する位置情報に基づいて、複数のスキャンパラメータセットの中から少なくとも１つのスキャンパラメータセットを選択する。【選択図】      図１
2020065631.tif 000002
【特許請求の範囲】
【請求項１】
複数のスキャンパラメータセットを記憶する記憶部と、
被検体又は前記被検体をスキャンするスキャン部の移動に伴い取得された、前記被検体と前記スキャン部との位置関係に相関する位置情報に基づいて、前記複数のスキャンパラメータセットの中から少なくとも１つのスキャンパラメータセットを選択する選択部と、
を具備する医用画像診断システム。
【請求項２】
前記位置情報は、前記被検体が載置される天板の位置、前記スキャン部の位置又は前記被検体の位置に関する情報を含む、請求項１記載の医用画像診断システム。
【請求項３】
前記選択部は、前記位置情報に加え、前記被検体の向きを示す情報及び前記被検体の体格を示す情報のうち少なくとも１つに基づいて、前記少なくとも１つのスキャンパラメータセットを選択する、請求項１記載の医用画像診断システム。
【請求項４】
前記被検体又は前記スキャン部の移動中又は移動完了時に前記位置情報を自動的に取得する取得部を更に備える、請求項１記載の医用画像診断システム。
【請求項５】
前記取得部は、患者切り替え指示から位置決めスキャンの開始時までの期間において前記位置情報を取得する、請求項４記載の医用画像診断システム。
【請求項６】
前記スキャン部を更に備え、
前記スキャン部は、前記少なくとも１つのスキャンパラメータセットが選択されたことを契機に、前記少なくとも１つのスキャンパラメータセットに従って、撮影の準備を開始する、
請求項１記載の医用画像診断システム。
【請求項７】
前記スキャン部は、
Ｘ線管及びＸ線検出器が設けられたフレームを、開口部を中心に回転可能に支持する架台を有し、
前記少なくとも１つのスキャンパラメータセットが選択されたことを契機に、前記準備として、前記フレームの回転を開始する、
請求項６記載の医用画像診断システム。
【請求項８】
前記スキャン部は、前記準備の期間中に開始指示がされた場合、前記準備の完了後、自動的に撮影を開始する、請求項６記載の医用画像診断システム。
【請求項９】
前記少なくとも１つのスキャンパラメータセットを表示部に表示させ、前記複数のスキャンパラメータセットのうちの前記少なくとも１つのスキャンパラメータセットとは異なるスキャンパラメータセットを前記表示部に表示させない表示制御部を更に備える、請求項１記載の医用画像診断システム。
【請求項１０】
前記少なくとも１つのスキャンパラメータセットを第１の表示態様で表示部に表示させ、前記少なくとも１つのスキャンパラメータセットとは異なるスキャンパラメータセットを、前記第１の表示態様と異なる第２の表示態様で前記表示部に表示させる表示制御部を更に備える、請求項１記載の医用画像診断システム。
【請求項１１】
前記選択部は、前記スキャン部による位置決めスキャンの開始時における前記位置情報に基づいて前記少なくとも１つのスキャンパラメータセットを選択する、請求項１記載の医用画像診断システム。
【請求項１２】
前記記憶部は、前記複数のスキャンパラメータセットの各々について、当該スキャンパラメータセットが過去に選択されたときの位置情報を関連付け、
前記選択部は、前記位置情報と前記複数のスキャンパラメータセットの各々に関連付けられた過去の位置情報との差に基づいて前記少なくとも１つのスキャンパラメータセットを選択する、
請求項１記載の医用画像診断システム。
【請求項１３】
前記スキャン部は、
前記複数のスキャンパラメータセットの中から、前記少なくとも１つのスキャンパラメータセットとして第１のスキャンパラメータセットを選択し、
前記第１のスキャンパラメータセットの予測実行確率が閾値よりも高い場合、前記第１のスキャンパラメータセットに従いスキャンを実行する、
請求項１記載の医用画像診断システム。
【請求項１４】
前記選択部は、前記位置情報に加え、架台チルト角度、天板左右位置、天板上下位置、架台操作ボタンの操作の有無、心電波形入力の有無、呼吸トリガー入力の有無及びインジェクター接続の有無のうちの少なくとも１つを利用して前記少なくとも１つのスキャンパラメータセットを選択する、請求項１記載の医用画像診断システム。
【請求項１５】
前記較正部は、自装置の寝台又はスキャン部の移動範囲に関する機械的制約に基づいて前記複数のスキャンパラメータセット各々に関連付けられた位置情報を較正する、請求項１記載の医用画像診断システム。
【発明の詳細な説明】
【技術分野】
【０００１】
本発明の実施形態は、医用画像診断システムに関する。
【背景技術】
【０００２】
Ｘ線コンピュータ断層撮影では、患者の寝台への誘導や撮影位置へのセットアップ、患者情報の入力、オプションユニットのセットアップ等、撮影に関する多様な準備が必要である。これら準備が終了してからスキャンプランの選択が行われ、その後、装置セットアップが行われ、ようやく撮影が実施される。
【先行技術文献】
【特許文献】
【０００３】
【特許文献１】特開平０３−７０５４７号公報
【特許文献２】特開２００７−１６７６３４号公報
【特許文献３】特開２００９−６０９３９号公報
【特許文献４】特開平１１−２３５３３４号公報
【発明の概要】
【発明が解決しようとする課題】
【０００４】
本発明が解決しようとする課題は、医用撮影に係る操作者の準備の負担を軽減することである。
【課題を解決するための手段】
【０００５】
実施形態に係る医用画像診断システムは、複数のスキャンパラメータセットを記憶する記憶部と、被検体又は前記被検体をスキャンするスキャン部の移動に伴い取得された、前記被検体と前記スキャン部との位置関係に相関する位置情報に基づいて、前記複数のスキャンパラメータセットの中から少なくとも１つのスキャンパラメータセットを選択する選択部と、を具備する。
【図面の簡単な説明】
【０００６】
【図１】図１は、本実施形態に係るＸ線ＣＴシステムの構成を示す図である。
【図２】図２は、図１の架台及び寝台の外観を示す図である。
【図３】図３は、図１のＸ線ＣＴシステムに係るＣＴ検査のワークフローを示す図である。
【図４】図４は、スキャンプランテーブルの一例を示す図である。
【図５】図５は、天板位置とスキャンプランとの関係を模式的に示す図である。
【図６】図６は、図３のステップＳ５において処理回路により実行されるスキャンプランの選択処理に係る一連の処理の典型的な流れを示す図である。
【図７】図７は、図６のステップＳＡ２において行われるスキャンプラン候補の選択処理を模式的に示す図である。
【図８】図８は、デフォルトのスキャンプラン選択画面の一例を示す図である。
【図９】図９は、図６のステップＳＡ３において表示されるスキャンプラン選択画面を示す図である。
【図１０】図１０は、図６のステップＳＡ３において表示される他のスキャンプラン選択画面を示す図である。
【図１１】図１１は、図６のステップＳＡ３において表示される他のスキャンプラン選択画面を示す図である。
【図１２】図１２は、図６のステップＳＡ３において表示される他のスキャンプラン選択画面を示す図である。
【図１３】図１３は、天板に荷物を置かない医療施設における頭部撮影のときの天板位置を示す図である。
【図１４】図１４は、天板に荷物を置く医療施設における頭部撮影のときの天板位置を示す図である。
【図１５】図１５は、本実施形態の変形例１に係る処理回路によるスキャンプランの選択から撮影までの流れを示す図である。
【発明を実施するための形態】
【０００７】
以下、図面を参照しながら本実施形態に係る医用画像診断システムを説明する。
【０００８】
本実施形態に係る医用画像診断システムは、医用画像を生成する医用画像診断装置に係るシステムである。医用画像診断装置としては、Ｘ線コンピュータ断層撮影装置、磁気共鳴イメージング装置、Ｘ線診断装置及び核医学診断装置等が利用可能である。以下、説明を具体的に行うため、医用画像診断システムとして、Ｘ線コンピュータ断層撮影装置に係るシステム（以下、Ｘ線ＣＴシステムと呼ぶ）を例に挙げて説明する。
【０００９】
図１は、Ｘ線ＣＴシステム１の構成を示す図である。なお、図１には説明の都合のため複数の架台１０が描画されているが、典型的にはＸ線ＣＴシステム１が装備する架台１０は１台である。
【００１０】
図１に示すように、Ｘ線ＣＴシステム１は、架台１０、寝台３０及びコンソール４０を有する。架台１０は、被検体ＰをＸ線ＣＴ撮影するための構成を有するスキャン装置である。寝台３０は、Ｘ線ＣＴ撮影の対象となる被検体Ｐを載置し、被検体Ｐを位置決めするための搬送装置である。コンソール４０は、架台１０を制御するコンピュータである。例えば、架台１０及び寝台３０は検査室に設置され、コンソール４０は検査室に隣接する操作室に設置される。架台１０、寝台３０及びコンソール４０は互いに通信可能に有線または無線で接続されている。架台１０は、スキャン部の一例である。
【００１１】
図１に示すように、架台１０は、Ｘ線管１１、Ｘ線検出器１２、回転フレーム１３、Ｘ線高電圧装置１４、制御装置１５、ウェッジ１６、コリメータ１７及びデータ収集回路（ＤＡＳ：Data Acquisition System）１８を有する。
【００１２】
Ｘ線管１１は、Ｘ線を発生する。具体的には、Ｘ線管１１は、熱電子を発生する陰極と、陰極から飛翔する熱電子を受けてＸ線を発生する陽極と、陰極と陽極とを保持する真空管とを含む。Ｘ線管１１は、高圧ケーブルを介してＸ線高電圧装置１４に接続されている。陰極には、Ｘ線高電圧装置１４によりフィラメント電流が供給される。フィラメント電流の供給により陰極から熱電子が発生する。陰極と陽極との間には、Ｘ線高電圧装置１４により管電圧が印加される。管電圧の印加により陰極から陽極に向けて熱電子が飛翔して陽極に衝突し、Ｘ線が発生する。発生されたＸ線は、被検体Ｐに照射される。陰極から陽極に向けて熱電子が飛翔することにより管電流が流れる。
【００１３】
Ｘ線検出器１２は、Ｘ線管１１から発生され被検体Ｐを通過したＸ線を検出し、検出されたＸ線の線量に対応した電気信号をＤＡＳ１８に出力する。Ｘ線検出器１２は、チャネル方向に複数のＸ線検出素子が配列されたＸ線検出素子列がスライス方向（列方向）に複数配列された構造を有する。Ｘ線検出器１２は、例えば、グリッド、シンチレータアレイ及び光センサアレイを有する間接変換型の検出器である。シンチレータアレイは、複数のシンチレータを有する。シンチレータは、入射Ｘ線量に応じた光量の光を出力する。グリッドは、シンチレータアレイのＸ線入射面側に配置され、散乱Ｘ線を吸収するＸ線遮蔽板を有する。なお、グリッドは、コリメータ（１次元コリメータ又は２次元コリメータ）と呼ばれることもある。光センサアレイは、シンチレータからの光の光量に応じた電気信号に変換する。光センサとしては、例えば、フォトダイオードが用いられる。
【００１４】
回転フレーム１３は、Ｘ線管１１とＸ線検出器１２とを回転軸Ｚ回りに回転可能に支持する円環状のフレームである。具体的には、回転フレーム１３は、Ｘ線管１１とＸ線検出器１２とを対向支持する。回転フレーム１３は、固定フレーム（図示せず）に回転軸Ｚ回りに回転可能に支持される。制御装置１５により回転フレーム１３が回転軸Ｚ回りに回転することによりＸ線管１１とＸ線検出器１２とを回転軸Ｚ回りに回転させる。回転フレーム１３の開口部１９には、画像視野（ＦＯＶ：Field Of View）が設定される。
【００１５】
なお、本実施形態では、非チルト状態での回転フレーム１３の回転軸又は寝台３０の天板３３の長手方向をＺ方向、Ｚ方向に直交し床面に対し水平である方向をＸ方向、Ｚ方向に直交し床面に対し垂直である方向をＹ方向と定義する。
【００１６】
Ｘ線高電圧装置１４は、高電圧発生装置とＸ線制御装置とを有する。高電圧発生装置は、変圧器（トランス）及び整流器等の電気回路を有し、Ｘ線管１１に印加する高電圧及びＸ線管１１に供給するフィラメント電流を発生する。Ｘ線制御装置は、Ｘ線管１１に印加する高電圧とＸ線管１１に供給フィラメント電流とを制御する。高電圧発生装置は、変圧器方式であってもよいし、インバータ方式であっても構わない。Ｘ線高電圧装置１４は、架台１０内の回転フレーム１３に設けられてもよいし、架台１０内の固定フレーム（図示しない）に設けられても構わない。
【００１７】
ウェッジ１６は、被検体Ｐに照射されるＸ線の線量を調節する。具体的には、ウェッジ１６は、Ｘ線管１１から被検体Ｐへ照射されるＸ線の線量が予め定められた分布になるようにＸ線を減衰する。例えば、ウェッジ１６としては、ウェッジフィルタ（wedge filter）やボウタイフィルタ（bow-tie filter）等、アルミニウム等の金属が加工されることにより形成された金属フィルタである。これらウェッジ１６は、所定のターゲット角度や所定の厚みを有するように加工される。
【００１８】
コリメータ１７は、ウェッジ１６を透過したＸ線の照射範囲を限定する。コリメータ１７は、Ｘ線を遮蔽する複数の鉛板をスライド可能に支持し、複数の鉛板により形成されるスリットの形態を調節する。なお、コリメータ１７は、Ｘ線絞りとも呼ばれる。
【００１９】
ＤＡＳ１８は、Ｘ線検出器１２により検出されたＸ線の線量に応じた電気信号をＸ線検出器１２から読み出し、読み出した電気信号を増幅し、ビュー期間に亘り電気信号を積分することにより当該ビュー期間に亘るＸ線の線量に応じたデジタル値を有する検出データを収集する。検出データは、投影データとも呼ばれる。ＤＡＳ１８は、例えば、投影データを生成可能な回路素子を搭載した特定用途向け集積回路（Application Specific Integrated Circuit：ＡＳＩＣ）により実現される。ＤＡＳ１８により生成された投影データ（検出データ）は、回転フレーム１３に設けられた発光ダイオード（ＬＥＤ）を有する送信機から光通信によって架台１０の非回転部（例えば、固定フレーム）に設けられた発光ダイオード（ＬＥＤ）を有する受信機に送信され、受信機からコンソール４０に伝送される。なお、回転フレーム１３から架台１０の非回転部への投影データの送信方式は、前述の光通信に限定されず、非接触型のデータ伝送であれば如何なる方式であっても良い。
【００２０】
寝台３０は、基台３１、支持フレーム３２、天板３３及び寝台駆動装置３４を備える。基台３１は、床面に設置される。基台３１は、支持フレーム３２を、床面に対して垂直方向（Ｙ方向）に移動可能に支持する構造体である。支持フレーム３２は、基台３１の上部に設けられるフレームである。支持フレーム３２は、天板３３を中心軸Ｚに沿ってスライド可能に支持する。天板３３は、被検体Ｐが載置される柔軟性を有する板状構造体である。
【００２１】
寝台駆動装置３４は、寝台３０に収容される。寝台駆動装置３４は、被検体Ｐが載置された天板３３を移動させるための動力を発生するモータ又はアクチュエータである。寝台駆動装置３４は、コンソール４０等による制御に従い作動する。
【００２２】
制御装置１５は、コンソール４０の処理回路４４による撮影制御機能４４１に従いＸ線ＣＴ撮影を実行するためにＸ線高電圧装置１４、ＤＡＳ１８及び寝台３０を制御する。制御装置１５は、ＣＰＵ（Central Processing Unit）等を有する処理回路と、モータ及びアクチュエータ等の駆動装置とを有する。処理回路は、ハードウェア資源として、ＣＰＵ等のプロセッサとＲＯＭ（Read Only Memory）やＲＡＭ（Random Access Memory）等のメモリとを有する。制御装置１５は、例えば、コンソール４０、架台１０及び寝台３０等に設けられた入力インターフェース４３からの操作信号に従い架台１０及び寝台３０を制御する。例えば、制御装置１５は、回転フレーム１３の回転、架台１０のチルト、天板３３及び寝台３０の動作を制御する。
【００２３】
コンソール４０は、メモリ４１、ディスプレイ４２、入力インターフェース４３及び処理回路４４を有する。メモリ４１とディスプレイ４２と入力インターフェース４３と処理回路４４との間のデータ通信は、バス（BUS）を介して行われる。なお、コンソール４０は、架台１０とは別体であるとして説明するが、架台１０にコンソール４０の全構成要素又は一部の構成要素が含まれても良い。
【００２４】
メモリ４１は、種々の情報を記憶するＨＤＤ（Hard Disk Drive）やＳＳＤ（Solid State Drive）、集積回路記憶装置等の記憶装置である。メモリ４１は、例えば、投影データや再構成画像データを記憶する。メモリ４１は、ＨＤＤやＳＳＤ等以外にも、ＣＤ（Compact Disc）、ＤＶＤ（Digital Versatile Disc）、フラッシュメモリ等の可搬性記憶媒体や、ＲＡＭ（Random Access Memory）等の半導体メモリ素子等との間で種々の情報を読み書きする駆動装置であってもよい。また、メモリ４１の保存領域は、Ｘ線ＣＴシステム１内にあってもよいし、ネットワークで接続された外部記憶装置内にあってもよい。メモリ４１は、具体的には、複数のスキャンパラメータセットを記憶する。スキャンパラメータセットは、複数種類のスキャンパラメータの値の組合せである。スキャンパラメータセットは、スキャンプラン（エキスパートプラン）と同義である。複数のスキャンパラメータセットは、例えば、ＬＵＴ（look Up Table）形式で記憶される。このＬＵＴをスキャンプランテーブルと呼ぶことにする。
【００２５】
ディスプレイ４２は、各種の情報を表示する。例えば、ディスプレイ４２は、処理回路４４によって生成された医用画像（ＣＴ画像）や、操作者からの各種操作を受け付けるためのＧＵＩ（Graphical User Interface）等を出力する。例えば、ディスプレイ４２としては、例えば、液晶ディスプレイ（ＬＣＤ：Liquid Crystal Display）、ＣＲＴ（Cathode Ray Tube）ディスプレイ、有機ＥＬディスプレイ（ＯＥＬＤ：Organic Electro Luminescence Display）、プラズマディスプレイ又は他の任意のディスプレイが、適宜、使用可能となっている。また、ディスプレイ４２は、架台１０に設けられても良い。また、ディスプレイ４２は、デスクトップ型でも良いし、コンソール４０本体と無線通信可能なタブレット端末等に含まれるタブレット型でも良い。
【００２６】
入力インターフェース４３は、操作者からの各種の入力操作を受け付け、受け付けた入力操作を電気信号に変換して処理回路４４に出力する。入力インターフェース４３としては、例えば、マウス、キーボード、トラックボール、スイッチ、ボタン、ジョイスティック、タッチパッド及びタッチパネルディスプレイ等が適宜使用可能である。なお、本実施形態において入力インターフェース４３は、マウス、キーボード、トラックボール、スイッチ、ボタン、ジョイスティック、タッチパッド及びタッチパネルディスプレイ等の物理的な操作部品を備えるものに限られない。例えば、装置とは別体に設けられた外部の入力機器から入力操作に対応する電気信号を受け取り、この電気信号を処理回路４４へ出力する電気信号の処理回路も入力インターフェース４３の例に含まれる。また、入力インターフェース４３は、架台１０に設けられても良い。また、入力インターフェース４３は、コンソール４０本体と無線通信可能なタブレット端末等に含まれても良い。
【００２７】
処理回路４４は、入力インターフェース４３から出力される入力操作の電気信号に応じてＸ線ＣＴシステム１の動作を制御する。例えば、処理回路４４は、ハードウェア資源として、ＣＰＵやＧＰＵ（Graphics Processing Unit）等のプロセッサとＲＯＭやＲＡＭ等のメモリとを有する。処理回路４４は、メモリに展開されたプログラムを実行することにより、撮影制御機能４４１、再構成機能４４２、画像処理機能４４３、情報取得機能４４４、スキャン計画機能４４５、表示制御機能４４６及び較正機能４４７等を実行する。なお、各機能４４１〜４４７は単一の処理回路で実現される場合に限らない。複数の独立したプロセッサを組み合わせて処理回路を構成し、各プロセッサがプログラムを実行することにより各機能４４１〜４４７を実現するものとしても構わない。
【００２８】
撮影制御機能４４１において処理回路４４は、Ｘ線ＣＴ撮影を行うためＸ線高電圧装置１４と制御装置１５とＤＡＳ１８とを制御する。処理回路４４は、スキャン計画機能４４５により決定された撮影条件に従いＸ線高電圧装置１４と制御装置１５とＤＡＳ１８とを制御する。
【００２９】
再構成機能４４２において処理回路４４は、ＤＡＳ１８から出力された投影データに基づいてＣＴ画像を生成する。具体的には、処理回路４４は、ＤＡＳ１８から出力された投影データに対して対数変換処理やオフセット補正処理、チャネル間の感度補正処理、ビームハードニング補正等の前処理を施す。そして処理回路４４は、前処理後の投影データに対して、フィルタ補正逆投影法や逐次近似再構成法等を用いた再構成処理を施しＣＴ画像を生成する。
【００３０】
画像処理機能４４３において処理回路４４は、入力インターフェース４３を介して操作者から受け付けた入力操作に基づいて、再構成処理機能４４２によって生成されたＣＴ画像を、任意断面の断層像やボリュームレンダリング画像に変換する。
【００３１】
情報取得機能４４４において処理回路４４は、被検体Ｐ又は被検体Ｐをスキャンする架台１０の移動に伴い、被検体Ｐと架台１０との位置関係に相関する位置情報を取得する。
【００３２】
スキャン計画機能４４５において処理回路４４は、自動的に又は入力インターフェース４３等を介して入力された操作者からの指示に従いスキャン計画を立案する。スキャン計画において処理回路４４は、情報取得機能４４４により取得された位置情報に基づいて、メモリ４１に記憶された複数のスキャンパラメータセット（換言すれば、スキャンプランテーブル）の中から１又は複数のスキャンパラメータセットを選択する。処理回路４４は、複数のスキャンパラメータセットが選択された場合、自動的又は入力インターフェース４３を介して手動的に１つのスキャンパラメータセットを選択する。
【００３３】
表示制御機能４４６において処理回路４４は、種々の情報をディスプレイ４２に表示する。例えば、種々の情報として、選択された１又は複数のスキャンパラメータセットが表示される。また、種々の情報として、ＣＴ画像等が表示される。
【００３４】
較正機能４４７において処理回路４４は、自装置の寝台３０又は架台１０の移動範囲に関する機械的制約に基づいてスキャンプランテーブルを較正する。
【００３５】
以下、Ｘ線ＣＴシステム１に係る動作について説明する。
【００３６】
図２は、架台１０及び寝台３０の外観を示す図である。図２に示すように、架台１０は、略円筒形の開口部１９が形成された架台本体２３を有する。架台本体２３は、床面に設置された固定部２５によりチルト軸ＡＴ回りにチルト可能に支持されている。チルト軸ＡＴは、開口部１９の中心軸（回転軸）ＡＲに水平に直交する。架台１０の前方には寝台３０が設置されている。図２に示すように、天板３３の長軸Ａ１が開口部１９の中心軸ＡＲに平行するように寝台３０が配置される。
【００３７】
支持フレーム３２は、天板３３を長軸Ａ１に沿ってスライド可能に支持する。基台３１は、天板３３を長軸Ａ１に鉛直に直交する鉛直軸Ａ２に沿って昇降可能に支持している。鉛直軸Ａ２は、床面に対して垂直を向く。以下、天板３３の長軸Ａ１に平行する方向を長軸方向又はＺ方向、鉛直軸Ａ２に平行する方向を垂直方向又はＹ方向と呼ぶことにする。また、寝台３０が架台１０に接近する方向を＋Ｚ方向、寝台３０が架台１０から離れる方向を−Ｚ方向、寝台３０が上昇する方向を＋Ｙ方向、寝台３０が下降する方向を−Ｙ方向とする。また、＋Ｚ方向側の天板３３の限界到達位置はIN-LIMITと呼ばれ、−Ｚ方向側の天板３３の限界到達位置はOUT-LIMITと呼ばれる。
【００３８】
次に、図３を参照しながら、本実施形態に係るＸ線ＣＴシステム１に係るＣＴ検査のワークフローについて説明する。図３の左欄は、架台１０と寝台３０とが設置された検査室において行われる作業を示し、図３の右欄は、コンソール４０が設置された操作室において行われる作業を示す。
【００３９】
図３に示すように、まず、操作室のコンソール４０において次患者への切り替えが行われる（ステップＳ１）。例えば、ディスプレイ４２に表示された「次患者」ボタンが、医師や技師等の操作者により入力インターフェース４３を介して押下された場合、処理回路４４は、システムの処理対象の患者を次患者（現検査対象の患者）に切り替える。次患者への切り替えにより、現検査対象の患者に関する検査オーダ情報が、ＲＩＳ（Radiology Information System）等のネットワークシステムからコンソール４０に供給される。検査オーダ情報には、現検査対象の患者に関する患者基本情報が含まれる。患者基本情報は、現検査対象の患者に関する氏名や患者ＩＤ、生年月日等の基本的な情報を含む。以下、次患者又は現検査対象の患者を単に患者と呼ぶこともある。
【００４０】
ステップＳ１が行われると操作者は、検査室に移動し、患者を寝台３０にセットアップする（ステップＳ２）。ステップＳ２においては、患者を寝台３０の天板３３に寝かせる。
【００４１】
ステップＳ２が行われると操作者は、操作室に移動し、コンソール４０に現検査対象の患者に関する患者情報を入力する（ステップＳ３）。ステップＳ３において処理回路４４は、操作者により入力インターフェース４３を介して患者情報を入力する。入力される患者情報としては、検査オーダに含まれない患者情報、例えば、撮影部位や体位に関する情報が含まれる。
【００４２】
ステップＳ３が行われると操作者は、検査室に移動し、患者位置のセットアップを行う（ステップＳ４）。ステップＳ４において操作者は、患者の撮影部位が画像視野に位置するため、架台１０に設けられた操作パネル又は寝台３０に設けられたスイッチを操作する。当該操作に従い制御装置１５は、天板３３をＺ軸に沿って移動させることによりボア１９内に天板３３を進入させ、患者の撮影部位を撮像視野に配置する。具体的には、架台１０に内蔵されたＸ線管１１からＸ線検出器１２へのＸ線パスが、患者の撮影範囲の両端部のうちの架台１０側の端部に位置するように天板３３が移動される。この撮影範囲は、ステップＳ８のＸ線ＣＴ撮影において初めに実行されるＸ線ＣＴ撮影の撮影範囲を意味する。例えば、ステップＳ８のＸ線ＣＴ撮影において位置決めスキャン（スキャノ撮影）及び本スキャンの順番でＸ線ＣＴ撮影が行われる場合、位置決めスキャンの撮影範囲の端部がＸ線パスに位置するように天板３３が移動される。
【００４３】
ステップＳ４が行われると操作者は、操作室に移動し、スキャンプランの選択を行う（ステップＳ５）。ステップＳ５において処理回路４４は、スキャン計画機能４４５の実現により、被検体Ｐと架台１０との位置関係に相関する位置情報に基づいてスキャンプランを選択する。ステップＳ５の処理については後述する。
【００４４】
ステップＳ５が行われると操作者は、コンソール４０を介して装置セットアップを行う（ステップＳ６）。装置セットアップは、架台１０が即時にＸ線ＣＴ撮影を実行する事が可能な状態に移行すること、すなわち、Ｘ線ＣＴ撮影の準備を意味する。装置セットアップとしては、Ｘ線管１１の加熱（ヒートアップ）や回転フレーム１３の回転等が行われる。
【００４５】
ステップＳ４及びステップＳ６が行われると操作者は、患者位置セットアップと装置セットアップとの双方が完了する事を待機する（ステップＳ７）。
【００４６】
患者位置セットアップと装置セットアップとの双方が完了すると操作者は、入力インターフェース４３を介して撮影開始指示を入力する。撮影開始指示が入力されたことを契機として処理回路４４は、撮影制御機能４４１により架台１０を制御してＸ線ＣＴ撮影を実行する。架台１０は、回転フレーム１３を回転させながらＸ線管１１からのＸ線の照射とＸ線検出器１２によるＸ線の検出とを行い、ＤＡＳ１８を介して患者に関する投影データをビュー毎に収集する。コンソール４０の処理回路４４は、再構成機能４４２の実現により、投影データに基づいてＣＴ画像を再構成する。ＣＴ画像は、ディスプレイ４２等に表示され、操作者等による読影等に供される。Ｘ線ＣＴ撮影後、患者が検査室から退出される。
【００４７】
以上により、現検査対象の患者に関するＣＴ検査が終了する。
【００４８】
次に、図３のステップＳ５におけるスキャンプランの選択について詳細に説明する。上記の通り、ステップＳ５において処理回路４４は、被検体Ｐと架台１０との位置関係に相関する位置情報に基づいてスキャンプランを選択する。被検体Ｐと架台１０との位置関係に相関する位置情報は、被検体Ｐの位置、架台１０の位置又は天板３３の位置に規定される。架台１０の位置は、床面にＺ軸に沿って設けられたレールを介して架台１０がＺ軸方向に関して移動可能な構成を有する場合に利用される。本実施形態において架台１０は床面に固定されているものとする。
【００４９】
まずは、スキャンプランの選択において利用されるスキャンプランテーブルについて説明する。
【００５０】
図４は、スキャンプランテーブルの一例を示す図である。図４に示すように、スキャンプランテーブルは、複数のスキャンプラン各々について、被検体Ｐと架台１０との位置関係に相関する位置情報として、天板３３の位置（以下、天板位置と呼ぶ）に関する情報を関連付けている。天板位置は、Ｚ軸方向に関する天板３３の位置に規定される。例えば、天板３３がOUT-LIMITに位置しているとき、天板位置が０ｍｍに設定される。スキャンプランは、複数種類のスキャンパラメータの値の組合せである。スキャンプランを構成するスキャンパラメータとしては、管電圧［kV］や管電流［mA］、Ｚ軸方向に関する撮影範囲［mm］、ＦＯＶのサイズ、撮影部位等が含まれる。スキャンパラメータは、架台１０のチルト角や造影剤の有無、スキャン種別、再構成手法、再構成関数の種別等、その他の情報が含まれてもよい。スキャンプランテーブルは、メモリ４１に記憶されている。なお、スキャンプランテーブルは、コンソール４０内のメモリ４１ではなく、架台１０に設けられたメモリに記憶されていてもよいし、外部サーバの記憶領域に記憶されてもよい。
【００５１】
スキャンプランテーブルは、処理回路４４等により予め作成される。具体的には、スキャンプランテーブルに記録されるスキャンプランと天板位置との組合せは、実際に実行されたスキャンプランと、当該スキャンプランが選択されたときの天板位置との組合せである。処理回路４４は、実際にスキャンプランが選択されたときの天板位置を特定し、実際に実行されたスキャンプランを特定し、特定された天板位置とスキャンプランとの組合せをスキャンプランテーブルに記録する。
【００５２】
図５は、天板位置とスキャンプランとの関係を模式的に示す図である。図５に示すように、天板位置とスキャンプランとの間には関係性が存在する。すなわち、撮影部位に応じて天板位置がおおよそ決定され、また、撮影部位に応じて管電圧［kV］や管電流［mA］、Ｚ軸方向に関する撮影範囲［mm］、ＦＯＶのサイズ等のスキャンパラメータがおおよそ決定される。例えば、図５の上段は、スキャンプラン１を示し、撮影部位が頭部であるとき天板位置が３００ｍｍである。図５の中段は、スキャンプラン２を示し、撮影部位がスキャンプラン２の胸部であるとき天板位置が１０００ｍｍである。図５の下段は、スキャンプラン３を示し、撮影部位がスキャンプラン３の下肢であるとき天板位置が６００ｍｍである。
【００５３】
図６は、図３のステップＳ５において処理回路４４により実行されるスキャンプランの選択処理に係る一連の処理の典型的な流れを示す図である。図６の処理は、図３に示すステップＳ４（患者位置セットアップ）に並行して行われる。
【００５４】
図６に示すように、処理回路４４は、情報取得機能４４４の実現により、現在の天板位置に関する情報を繰り返し取得する（ステップＳＡ１）。例えば、処理回路４４は、患者切り替え（ステップＳ１）から撮影（ステップＳ８）までの期間において天板位置に関する情報を繰り返し取得する。例えば、寝台駆動装置３４には天板３３のＺ軸方向に関する天板位置を表す信号を出力するロータリーエンコーダが設けられる。ロータリーエンコーダからの出力信号はコンソール４０に供給される。処理回路４４は、天板３３の移動中又は移動完了時において、ロータリーエンコーダからの出力信号を、天板位置に関する情報として自動的に取得する。この天板位置は、現在の天板位置を表している。
【００５５】
ステップＳＡ１が行われると処理回路４４は、スキャン計画機能４４５の実現により、現在の天板位置に基づいてスキャンプランの候補を選択する（ステップＳＡ２）。ステップＳＡ２において処理回路４４は、ステップＳ１において取得された現在の天板位置を、スキャンプランテーブルに登録された各スキャンプランの天板位置との間で照合する。そして処理回路４４は、現在の天板位置に近似する天板位置に関連付けられた少なくとも１つのスキャンプランを候補として選択する。具体的には、処理回路４４は、現在の天板位置とスキャンプランテーブルに登録された各スキャンプランの天板位置との差分を算出し、算出された差分を閾値に対して比較する。処理回路４４は、差分が閾値よりも小さい天板位置に関連付けられたスキャンプランを候補として選択する。
【００５６】
図７は、ステップＳＡ２において行われるスキャンプラン候補の選択処理を模式的に示す図である。図７の左側に示すように、スキャンプランテーブルにおいて、スキャンプラン１（撮影部位：頭部、天板位置：３００ｍｍ）、スキャンプラン２（撮影部位：胸部、天板位置：１０００ｍｍ）、スキャンプラン３（撮影部位：下肢、天板位置：６００ｍｍ）が登録されているとする。また、例えば、現在の天板位置が２５０ｍｍであるとする。この場合、スキャンプラン１の天板位置と現在の天板位置との差分は５０ｍｍ、スキャンプラン２の天板位置と現在の天板位置との差分は７５０ｍｍ、スキャンプラン３の天板位置と現在の天板位置との差分は３５０ｍｍである。例えば、閾値が１００ｍｍである場合、スキャンプラン１が候補として選択される。すなわち、現在の天板位置から、頭部のスキャンプランであるスキャンプラン１が選択されることとなる。
【００５７】
なお、同一の部位を撮影する場合であっても、天板３３における被検体Ｐの向きや被検体Ｐの体格に応じて天板位置が異なる場合がある。処理回路４４は、天板位置の他、被検体Ｐの向きを示す情報及び被検体Ｐの体格を示す情報のうち少なくとも一つに基づいて、スキャンプランの候補を選択してもよい。被検体Ｐの向きを示す情報は、天板３３における被検体Ｐの向きを示す情報である。被検体Ｐの向きを示す情報としては、具体的には、被検体Ｐの頭部を架台１０に向けるヘッド・ファースト、被検体Ｐの脚を架台１０に向けるフット・ファースト等がある。被検体Ｐの体格を示す情報は、被検体Ｐの体格に影響する種々の情報であり、具体的には、被検体Ｐの体重や身長、年齢、性別（男性／女性）である。年齢としては、年齢を示す数値でもよいし、子供や大人のようなクラスでもよい。また、被検体Ｐの体格を示す情報は、小型、標準又が大型等の被検体Ｐのおおよその体格を示すクラスでもよい。
【００５８】
例えば、処理回路４４は、被検体Ｐの向きを示す情報に基づいて、現在の天板位置又はスキャンプランテーブルの各スキャンパラメータに関連付けられた天板位置を補正し、補正後の天板位置を利用してスキャンパラメータの候補を選択する。これにより、被検体Ｐの向きの違いによる天板位置のばらつきを補正することができる。また、処理回路４４は、被検体Ｐの体格を示す情報に基づいて、現在の天板位置又はスキャンプランテーブルの各スキャンパラメータに関連付けられた天板位置を補正し、補正後の天板位置を利用してスキャンパラメータの候補を選択する。これにより、被検体Ｐの体格の違いによる天板位置のばらつきを補正することができる。
【００５９】
ステップＳＡ２が行われると処理回路４４は、スキャンプランの候補を表示する（ステップＳＡ３）。ステップＳＡ３において処理回路４４は、表示制御機能４４６の実現により、ステップＳＡ２において選択されたスキャンプランの候補を、ディスプレイ４２に表示する。
【００６０】
図８は、デフォルトのスキャンプラン選択画面ＩＳ１の一例を示す図である。スキャンプラン選択画面ＩＳ１には、複数のスキャンプランＰｎ（ｎは整数）が一覧で表示される。スキャンプランＰｎは、例えば、スキャンプランの名称と当該スキャンプランを構成するスキャンパラメータの値を示す数字及び文字とで表示される。例えば、スキャンプランＰ２は、名称が「頭部２」であり、スキャンパラメータは管電圧「１２０ｋＶ」、管電流「４００ｍＡ」、撮影範囲「１００ｍｍ」、ＦＯＶサイズ「Ｓ」である。スキャンプランＰｎは、入力インターフェース４３を介して選択可能に表示される。スキャンプラン選択画面ＩＳ１は、ステップＳＡ３におけるスキャンプランの候補の選択前に表示される。
【００６１】
図９は、ステップＳＡ３において表示されるスキャンプラン選択画面ＩＳ２を示す図である。なお、図９においては、撮影部位「胸部」に関するスキャンプランＰ３及びＰ４が候補として選択された場合を想定する。図９に示すように、候補として選択されたスキャンプランＰ３及びＰ４は、他のスキャンプランＰ１、Ｐ２及びＰ５と異なる態様で表示される。表示態様としては、例えば、候補として選択されたスキャンプランＰ３及びＰ４は、他のスキャンプランＰ１、Ｐ２及びＰ５と異なる色で表示されてもよいし、太い線で表示されてもよいし、点滅されてもよい。このように、候補として選択されたスキャンプランＰ３及びＰ４と、他のスキャンプランＰ１、Ｐ２及びＰ５とが異なる態様で表示されることにより、操作者は、候補を容易に認識することができる。
【００６２】
図１０は、ステップＳＡ３において表示される他のスキャンプラン選択画面ＩＳ３を示す図である。図１０に示すように、候補として選択されたスキャンプランＰ３及びＰ４は、他のスキャンプランＰ１、Ｐ２及びＰ５よりも画面上部に表示される。このような表示態様によれば、操作者は、候補を容易に認識することができる。
【００６３】
なお、図８、図９及び図１０のスキャンプラン選択画面において各スキャンプランＰｎに対する入力インターフェース４３を介した選択は有効である。非候補スキャンプランＰ１、Ｐ２及びＰ５が選択された場合、処理回路４４は、患者の位置決めの誤り（ポジショニングミス）を、ディスプレイ４２又はスピーカを介して通知してもよい。これにより、スキャンプランの選択の誤り又は患者の位置決めの誤りを防止することができる。
【００６４】
図１１は、ステップＳＡ３において表示される他のスキャンプラン選択画面ＩＳ４を示す図である。図１１に示すように、候補として選択されたスキャンプランＰ３及びＰ４は、図９と同様、他のスキャンプランＰ１、Ｐ２及びＰ５と異なる態様で表示される。そして、候補として選択されたスキャンプランＰ３及びＰ４は、入力インターフェース４３等を介して選択可能に表示されるが、他のスキャンプランＰ１、Ｐ２及びＰ５は、選択不能に表示される。換言すれば、処理回路４４は、ステップＳＡ２において候補が選択された場合、候補として選択されなかったスキャンプランＰ１、Ｐ２及びＰ５を選択可から選択不可に設定する。このように、非候補のスキャンプランＰ１、Ｐ２及びＰ５が選択不能に表示されることにより、操作者により非候補が選択されることを防止することができる。
【００６５】
図１２は、ステップＳＡ３において表示される他のスキャンプラン選択画面ＩＳ５を示す図である。図１２に示すように、候補スキャンプランＰ３及びＰ４が表示され、非候補スキャンプランＰ１、Ｐ２及びＰ５が表示されない。このように、候補スキャンプランＰ３及びＰ４のみが限定的に表示されることにより、操作者は、候補のみを認識することができる。
【００６６】
ステップＳＡ３が行われると処理回路４４は、候補スキャンプランから一のスキャンプランが選択されることを待機する（ステップＳＡ４）。例えば、操作者は、ステップＳＡ３において表示された候補スキャンプランの中から、撮影に利用する任意のスキャンプランを、入力インターフェース４３を介して選択する。候補スキャンプランが選択されない場合（ステップＳＡ４：ＮＯ）、処理回路４４は、再びステップＳＡ１に戻り、ステップＳＡ１、ＳＡ２、ＳＡ３及びＳＡ４を繰り返す。ステップＳＡ１、ＳＡ２、ＳＡ３及びＳＡ４は、図３の患者位置セットアップが行われている期間、換言すれば、患者切り替え（ステップＳ１）から撮影（ステップＳ８）までの期間において繰り返し行われる。天板３３の移動前や移動中においては、スキャンプランの選択が行われないことが予期される。この期間においては、変化している天板位置に応じてリアルタイムで候補スキャンプランが変更されることとなる。ステップＳＡ４において選択されるスキャンプランは、実際には、天板３３の移動完了後における天板位置である。例えば、一番初めの撮影がスキャノ撮影の場合、天板３３は、Ｚ軸方向に関するスキャノ撮影の撮影範囲の両端のうちの一端（開始端）に天板位置が一致するように配置される。この場合、処理回路４４は、スキャノ撮影の開始端に関する天板位置に適したスキャンプランの候補を選択することとなる。
【００６７】
ステップＳＡ４において一のスキャンプランが選択された場合（ステップＳＡ４：ＹＥＳ）、処理回路４４は、図６に示すスキャンプランの選択処理を終了する。
【００６８】
上記の通り、スキャンプランの選択処理において処理回路４４は、現在の天板位置を、過去に実際に採用されたスキャンプランと天板位置との組合せを登録したスキャンプランテーブルとの間で照合して、スキャンプランの候補を操作者に提示する。スキャンプランテーブルが病院等の医療施設毎に生成されることにより、医療施設毎の撮影方針の差異に関係なく、適切な候補を提示することができる。
【００６９】
図１３及び図１４は、医療施設毎の撮影方針の差異に起因する、頭部撮影のときの天板位置の差異を模式的に示す図である。図１３は、天板に荷物を置かない医療施設における頭部撮影のときの天板位置を示し、図１４は、天板に荷物を置く医療施設における頭部撮影のときの天板位置を示す。図１４に示すように、天板を治療用の薬品やガーゼ等の置き場として利用する場合がある。このとき、撮影部位が同一であっても、天板に荷物を置く場合と置かない場合とで天板位置に差異が生じることとなる。スキャンプランテーブルは、医療施設毎に作成され、過去に実際にその医療施設で採用されたスキャンプランと天板位置との組合せを登録したものである。このようなスキャンプランテーブルを使用することにより、処理回路４４は、医療施設毎の撮影方針を考慮したスキャンプランを選択し提示することができる。
【００７０】
（変形例１）
なお、上記図６に示す処理の流れは一例であり、種々の変更が可能である。例えば、上記の実施形態においては、スキャンプランの候補を選択し提示するものとした。しかしながら、本実施形態はこれに限定されない。変形例１に係る処理回路４４は、一のスキャンプランを自動的に選択してもよい。
【００７１】
図１５は、本実施形態の変形例１に係る処理回路４４によるスキャンプランの選択から撮影までの流れを示す図である。図１５に示す処理は、図３に示すステップＳ４、Ｓ５、Ｓ６、Ｓ７及びＳ８の他の例である。図１５に示すステップＳＢ１は、図３に示すステップＳ４に並行して開始される。
【００７２】
図１５に示すように、処理回路４４は、情報取得機能４４４の実現により、現在の天板位置に関する情報を取得する（ステップＳＢ１）。ステップＳＢ１において処理回路４４は、例えば、天板３３の移動の完了後、自動的に又は操作者による入力インターフェース４３を介した指示を受けて天板位置に関する情報を取得する。
【００７３】
ステップＳＢ１が行われると処理回路４４は、スキャン計画機能４４５の実現により、現在の天板位置に基づいて一のスキャンプランを選択する（ステップＳＢ２）。ステップＳＢ２において処理回路４４は、まず、図６のステップＳＡ２と同様、スキャンプランテーブルを利用して、現在の天板位置からスキャンプランの候補を選択する。次に処理回路４４は、各候補について予測実行確率を計算する。予測実行確率は、当該スキャンプランが実行されると予測される確率である。予測実行確率は、例えば、スキャンプランテーブルにおいて各スキャンプランに関連付けられた実行回数と提示回数とに基づいて計算される。実行回数は、当該スキャンプランが実際に実行された回数である。提示回数は、当該スキャンプランが候補として選択された回数である。提示回数に対する実行回数の割合が予測実行確率に規定される。なお、予測実行確率は、他の方法により計算されてもよい。そして処理回路４４は、予測実行確率が最も高い一のスキャンプランを選択する。
【００７４】
ステップＳＢ２が行われると処理回路４４は、スキャン計画機能４４５の実現により、ステップＳＢ２において選択された一のスキャンプランの予測実行確率が閾値を超えているか否かを判定する（ステップＳＢ３）。閾値は、任意の値に設定されればよい。一のスキャンプランの予測実行確率が閾値以下であると判定された場合（ステップＳＢ３：ＮＯ）、ステップＳＢ１における天板位置に関する情報取得から再度同様の処理を、再実行が許可されている時間範囲において繰り返し行う。すなわち、一のスキャンプランの予測実行確率が閾値以下であると判定された場合（ステップＳＢ３：ＮＯ）、処理回路４４は、自動スキャンプラン選択のタイムアウト時間内であるか否かを判定する（ステップＳＢ４）。タイムアウト時間は、例えば、図１５の処理の開始から１分以内等に設定されてもよい。あるいは、処理回路４４は、再実行回数を計数し、当該再実行回数を、タイムアウト時間である閾値（例えば、３回）に対して比較してもよい。処理回路４４は、タイムアウト時間内にあると判定した場合（ステップＳＢ４：ＹＥＳ）、ステップＳＢ１からステップＳＢ３を繰り返す。タイムアウト時間内にないと判定した場合（ステップＳＢ４：ＮＯ）、すなわち、タイムアウト時間内に、閾値を上回る予測実行確率となるスキャンプランが選択されなかった場合（ステップＳＢ３：ＮＯ）、処理回路４４は、操作者の判断により、スキャンプランを選択する必要があるため、図６に示すステップＳＡ１に進む。
【００７５】
一のスキャンプランの予測実行確率が閾値を超えていると判定された場合（ステップＳＢ３：ＹＥＳ）、処理回路４４は、撮影制御機能４４１の実現により、撮影の準備を開始する（ステップＳＢ５）。撮影の準備としては、回転フレーム１３の回転やＸ線管１１の予熱が行われる。より詳細には、処理回路４４は、制御装置１５に回転フレーム１３の回転とＸ線管１１の予熱との開始指令を行う。開始指令を受けて制御装置１５は、回転フレーム１３を所定の速度で回転する。所定の速度は、ステップＳＢ２において選択されたスキャンプランに対応する回転速度でもよいし、操作者による回転速度の変更に対処するため、ステップＳＢ２において選択されたスキャンプランに対応する回転速度よりも低い速度でもよい。回転フレーム１３の回転に並行して制御装置１５は、予熱用の電流をＸ線管１１の陰極に供給する。これにより、Ｘ線管１１から即座にＸ線を照射することが可能な状態に移行することができる。なお、Ｘ線管１１の予熱は、制御装置１５による制御ではなく、処理回路４４による制御により行われてもよい。また、撮影の準備として処理回路４４は、メモリ４１における投影データの保存領域を確保するため、メモリ４１に記憶されているデータを削除又は移行してもよい。
【００７６】
ステップＳＢ５が行われると処理回路４４は、撮影の準備の完了を待機する（ステップＳＢ６）。撮影の準備が完了した場合（ステップＳＢ６：ＹＥＳ）、処理回路４４は、撮影開始指示がなされたか否かを判定する（ステップＳＢ７）。例えば、処理回路４４は、撮影の準備を開始してから撮影開始指示を受け付けている。撮影開始指示は、操作者により入力インターフェース４３を介して行われる。
【００７７】
撮影開始指示が行われた場合（ステップＳＢ７：ＹＥＳ）、処理回路４４は、撮影制御機能４４１の実現により、ステップＳＢ２において選択されたスキャンプランに従いＸ線ＣＴ撮影を行う（ステップＳＢ８）。処理回路４４は、撮影制御機能４４１により架台１０を制御してＸ線ＣＴ撮影を実行する。架台１０は、回転フレーム１３を回転させながらＸ線管１１からのＸ線の照射とＸ線検出器１２によるＸ線の検出とを行い、ＤＡＳ１８を介して患者に関する投影データをビュー毎に収集する。コンソール４０の処理回路４４は、再構成機能４４２の実現により、投影データに基づいてＣＴ画像を再構成する。ＣＴ画像は、ディスプレイ４２等に表示され、操作者等による読影等に供される。
【００７８】
以上により、変形例１に係る処理回路４４によるスキャンプランの選択から撮影までの処理が終了する。
【００７９】
なお、図１５に示す処理の流れは一例であり、これに限定されない。例えば、処理回路４４は、操作者により一のスキャンプランが選択されたことを契機として自動的に撮影の準備（ステップＳＢ５）以後の処理を実行してもよい。
【００８０】
上記の通り、変形例１によれば、現在の天板位置に適合した一のスキャンプランを自動的に選択することができる。この構成によれば、操作者は、検査室において患者位置セットアップを行った後、操作室に戻ってスキャンプランを選択する必要がない。また、変形例１によれば、架台１０は、スキャンプランが選択されたことを契機に、当該選択されたスキャンプランに従い撮影の準備を行う。よって、処理回路４４は、操作者による装置セットアップの指示を待つ必要がない。また、一例として、架台１０は、図１５に示すように、撮影の準備の期間中に撮影開始指示がなされた場合、準備の完了後、自動的に撮影を開始する。よってＣＴ検査のワークフローが向上する。
【００８１】
（変形例２）
上記の実施形態においてスキャンプランテーブルは、複数のスキャンパラメータ各々に天板位置を関連付けているものとした。しかしながら、本実施形態はこれに限定されない。変形例２に係るスキャンプランテーブルは、複数のスキャンパラメータ各々に、天板位置の他、天板位置に影響を与える因子（以下、影響因子と呼ぶ）に関する情報を関連付けている。
【００８２】
影響因子としては、架台チルト角度、天板左右位置、天板上下位置、架台操作ボタンの操作の有無、心電波形入力の有無、呼吸トリガー入力の有無及びインジェクター接続の有無が用いられる。頭部撮影や嚥下撮影においては架台１０がチルトされるので、架台チルト角度に関する情報によれば、頭部撮影か嚥下撮影かを判定できる。天板上下位置に関する情報は、被検体Ｐの体厚の差によって頭部撮影か腹部撮影を判定できる。天板左右位置に関する情報は、患者正中線上にない臓器である心臓等の特定の臓器を対象とする撮影や下肢撮影を判定できる。架台操作ボタンの操作の有無に関する情報によれば、患者が天板３３に寝ている向きを判定できる。架台１０には寝台３０の基部３１に面する側と面しない側との両方に天板３３の動作用のスイッチが設けられている。例えば、基部３１に面しない側にあるスイッチを操作されていれば、患者がヘッド・ファースト（Head First）で天板３３に寝ていることなどが判定できる。心電波形入力の有無、呼吸トリガー入力の有無及びインジェクター接続の有無は、システムに接続されるオプションの有無に関係する。心電波形入力、呼吸トリガー入力及びインジェクター接続を要する場合、それらを利用する特定のスキャンプランの選択に有用である。
【００８３】
処理回路４４は、現在の天板位置と現在の影響因子とを取得し、スキャンプランテーブルを利用して、現在の天板位置と現在の影響因子との組合せからスキャンプランの候補を選択する。この際、処理回路４４は、現在の天板位置と現在の影響因子との組合せに完全に一致する、天板位置と影響因子との組合せに関連付けられたスキャンプランを選択してもよい。また、処理回路４４は、現在の天板位置と現在の影響因子との組合せに基づく複合的な評価関数に基づいて、スキャンプランテーブルからスキャンプランを選択してもよい。
【００８４】
このほか、処理回路４４は、患者名登録時に体位情報や撮影部位情報が予め分かっている場合、この情報を利用してスキャンプランを選択してもよい。呼吸練習などが先に行われる場合、処理回路４４は、言語種や呼吸練習内容の情報も利用してスキャンプランを選択してもよい。特に、患者予約システムなどと接続されている場合、処理回路４４は、予め登録された情報に基づいてスキャンプランを選択してもよい。
【００８５】
変形例２によれば、天板位置の他に、天板位置に影響を与える因子を利用してスキャンプランの候補をより正確に選択し提示することができる。
【００８６】
（変形例３）
上記の実施形態においてスキャンプランテーブルは、医療施設毎に作成及び利用されることとした。他の医療施設で利用されているＸ線ＣＴシステムと、自己の医療施設のＸ線ＣＴシステムとでは、装置のジオメトリの差異等により、寝台３３や架台１０等の移動範囲に関する機械的制約が異なる場合がある。この場合、自己の医療施設と他の医療施設とで同一の撮影部位を撮影するときであっても天板位置が異なるおそれがある。変形例３に係る処理回路４４は、較正機能４４７の実現により、他の医療施設で作成されたスキャンプランテーブルを、自己の医療施設で利用するため、当該スキャンプランテーブルを較正する。以下、変形例３に係るＸ線ＣＴシステム１について説明する。
【００８７】
変形例３に係るメモリ４１には、他の医療施設で作成されたスキャンプランテーブルが記憶される。処理回路４４は、自装置の架台１０又は寝台３０の移動範囲に関する機械的制約に基づいてスキャンプランテーブルを較正する、例えば、他の医療施設において利用されているＸ線ＣＴシステムの天板の移動範囲と、自己の医療施設において利用されているＸ線ＣＴシステム１の天板３３の移動範囲との割合に応じて、複数のスキャンパラメータ各々に関連付けられた天板位置を較正する。これにより、自己の医療施設においても他の医療施設において作成されたスキャンプランテーブルを使用することができるので、スキャンプランテーブルの作成の手間を削減することができる。
【００８８】
（変形例４）
上記の実施形態において処理回路４４は、位置情報として、ロータリーエンコーダからの出力に基づく天板位置に関する情報を取得するものとした。しかしながら、本実施形態はこれに限定されない。変形例４に係る処理回路４４は、光学カメラの映像解析により位置情報を取得する。
【００８９】
例えば、架台１０又は検査室の天井や壁面等の、天板３３の基準点が撮影視野に含まれる位置に光学カメラが設置される。天板３３の基準点は、天板３３の端部や天板３３に設けられた目印を意味する。天板の基準点は、天板３３に被検体Ｐが載置される状態においても光学カメラにより撮影可能な位置に設けられる。光学カメラにより天板３３の基準点が描出された光学画像が生成される。光学画像は処理回路４４に伝送される。処理回路４４は、光学画像に画像処理を施して光学画像における天板３３の基準点の位置座標を特定し、特定された位置座標を、光学カメラの設置位置及び設置角度に基づいて検査室の座標系における位置座標に変換する。画像処理としては、例えば、閾値処理等が利用される。検査室の座標系における位置座標は、天板位置として利用される。
【００９０】
なお、上記の実施形態において位置情報は、天板位置であるとした。しかしながら、本実施形態はこれに限定されない。位置情報は、被検体Ｐと架台１０との位置関係に相関する情報であれば如何なる情報であってもよい。例えば、位置情報は、被検体Ｐの位置（以下、被検体位置と呼ぶ）に関する情報であってもよい。被検体位置についても光学画像を画像処理することにより特定されてもよい。
【００９１】
例えば、架台１０又は検査室の天井や壁面等の、被検体Ｐの基準点が撮影視野に含まれる位置に光学カメラが設置される。被検体Ｐの基準点は、被検体Ｐの頭頂部や他の特徴点、被検体Ｐに取り付けられた目印を意味する。光学カメラにより被検体Ｐの基準点が描出された光学画像が生成される。光学画像は処理回路４４に伝送される。処理回路４４は、光学画像に画像処理を施して光学画像における被検体Ｐの基準点の位置座標を特定し、特定された位置座標を、光学カメラの設置位置及び設置角度に基づいて検査室の座標系における位置座標に変換する。画像処理としては、例えば、閾値処理等が利用される。検査室の座標系における位置座標は、被検体位置として利用される。
【００９２】
このように変形例４によれば、光学カメラを利用して、被検体Ｐと架台１０との位置関係に相関する位置情報を取得することが可能になる。
【００９３】
（変形例５）
上記の実施形態において被検体Ｐを架台１０のＸ線パスに対して位置合わせするために、寝台３０の天板３３をＺ軸等に沿って移動するものとした。しかしながら、本実施形態はこれに限定されない。例えば、寝台３０の基台３１がＺ軸等に沿って移動可能に設けられてもよい。Ｚ軸等に沿って移動可能な基台３１は、例えば、車輪を有する自走式の基台３１により実現されてもよいし、Ｚ軸等に沿って床面に設けられたレールに沿って移動する基台３１により実現されてもよい。
【００９４】
（変形例６）
上記の実施形態において被検体Ｐを架台１０のＸ線パスに対して位置合わせするために、寝台３０の天板３３をＺ軸等に沿って移動するものとした。しかしながら、本実施形態はこれに限定されない。例えば、床面に設けられたレールに沿って架台１０がＺ軸等に沿って移動可能に設けられてもよい。また、Ｘ線ＣＴシステムは一台の寝台を共有するＸ線ＣＴ装置とＸ線診断装置とを有する複合システムであってもよい。変形例５に係る処理回路４４は、架台１０の位置が被検体Ｐと架台１０との位置関係に相関するので、位置情報として、架台１０の位置情報を取得すればよい。
【００９５】
（変形例７）
上記の実施形態において被検体Ｐを架台１０のＸ線パスに対して位置合わせするために、寝台３０の天板３３をＺ軸等に沿って移動するものとした。しかしながら、本実施形態はこれに限定されない。例えば、Ｘ線ＣＴシステム１は、回転軸がＹ軸に平行する姿勢で架台１０をＹ軸に沿って上下動させる支柱を有する立位式でもよい。この場合、架台１０の位置が被検体Ｐと架台１０との位置関係に相関するので、処理回路４４は、位置情報として、架台１０の位置情報を取得すればよい。
【００９６】
（その他の例）
コンソール４０は、必ずしも操作室に設置されなくてもよい。例えば、コンソール４０は、架台１０及び寝台３０とともに同一の部屋に設置されてもよい。また、コンソール４０が架台１０に組み込まれても良い。また、コンソール４０のメモリ４１等の一部要素は、コンソール４０とは物理的に独立であり、ネットワークを介して接続されたハードウェアに実装されてもよい。
【００９７】
また、上記実施形態において、Ｘ線ＣＴシステム１は、いわゆる第３世代であるとした。すなわち、Ｘ線ＣＴシステム１は、Ｘ線管とＸ線検出器とが一体となって回転軸の周囲を回転する回転／回転型（Rotate／Rotate-Type）であるとした。しかしながら、本実施形態に係るＸ線ＣＴシステム１は、それのみに限定されない。例えば、Ｘ線ＣＴシステム１は、リング状に配列された多数のＸ線検出素子が固定され、Ｘ線管のみが回転軸の周囲を回転する固定／回転型（Stationary／Rotate-Type）でもよい。また、Ｘ線ＣＴシステム１は、リング状に配列された多数のＸ線検出素子が固定され、リング状に陽極が配置され、電磁偏向により電子ビームを陽極にリング状に照射させる第５世代でもよい。
【００９８】
上記の説明において本実施形態に係るＸ線ＣＴシステム１は、一管球型であるとしたが、いわゆる多管球型にも適用可能である。
【００９９】
（総括）
上記の少なくとも１つの実施形態によれば、本実施形態に係る医用画像診断システムは、メモリ４１と処理回路４４とを有する。メモリ４１は、複数のスキャンパラメータセット（スキャンプラン）を記憶する。複数のスキャンパラメータセット各々は複数種類のスキャンパラメータの値の組合せに関する。処理回路４４は、被検体Ｐ又は被検体Ｐをスキャンする架台１０の移動に伴い取得された、被検体Ｐと架台１０との位置関係に相関する位置情報に基づいて、複数のスキャンプランの中から少なくとも１つのスキャンプランを選択する。
【０１００】
上記の構成によれば、位置情報に基づいて、撮影準備開始時におけるスキャンプランの選択及び設定が自動で行えるようになる。これにより、図３に示す通り、ＣＴ検査のワークフローは改善し、操作者の負担は軽減される。この結果、操作者は、被検体Ｐへの対応など他に行うべき業務に注力することができるようになる。
【０１０１】
以上説明した少なくとも１つの実施形態によれば、医用撮影に係る操作者の準備の負担を軽減することができる。
【０１０２】
上記説明において用いた「プロセッサ」という文言は、例えば、ＣＰＵ、ＧＰＵ、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。また、プログラムを実行するのではなく、論理回路の組合せにより当該プログラムに対応する機能を実現しても良い。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１及び図２における複数の構成要素を１つのプロセッサへ統合してその機能を実現するようにしてもよい。
【０１０３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０４】
１  Ｘ線ＣＴシステム
１０  架台
１１  Ｘ線管
１２  Ｘ線検出器
１３  回転フレーム
１４  Ｘ線高電圧装置
１５  制御装置
１６  ウェッジ
１７  コリメータ
１８  データ収集回路（ＤＡＳ：Ｄａｔａ  Ａｃｑｕｉｓｉｔｉｏｎ  Ｓｙｓｔｅｍ）
１９  開口部
２３  架台本体
２５  固定部
３０  寝台
３１  基台
３２  支持フレーム
３３  天板
３４  寝台駆動装置
４０  コンソール
４１  メモリ
４２  ディスプレイ
４３  入力インターフェース
４４  処理回路
４４１  撮像制御機能
４４２  再構成処理機能
４４３  画像処理機能
４４４  情報取得機能
４４５  スキャン計画機能
４４６  表示制御機能
４４７  較正機能
【図１】
2020065631.tif 000003
【図２】
2020065631.tif 000004
【図３】
2020065631.tif 000005
【図４】
2020065631.tif 000006
【図５】
2020065631.tif 000007
【図６】
2020065631.tif 000008
【図７】
2020065631.tif 000009
【図８】
2020065631.tif 000010
【図９】
2020065631.tif 000011
【図１０】
2020065631.tif 000012
【図１１】
2020065631.tif 000013
【図１２】
2020065631.tif 000014
【図１３】
2020065631.tif 000015
【図１４】
2020065631.tif 000016
【図１５】
2020065631.tif 000017